(57)【要約】【課題】  小型化が可能で、メインテナンス性を向上できるオゾン水作成装置を提供する。【解決手段】  容器２に超音波振動子１０とオゾン導入口１１が設けられて、容器２の側方にオゾン水生成部Ｇのポンプ２１とオゾン発生器２２が上下に重ねて配置され、その上方に操作部Ｓが設けられて、操作部Ｓの近傍でオゾン水生成部Ｇに隣接して制御部Ｃが設けられているので、従来のように、容器の下部にメインテナンスを要する超音波振動子の制御部やオゾン発生器のポンプが配置されていないことから、小型化およびメインテナンス性の向上を図ることができる。【選択図】    図２   
2005103477.tif 000002
【特許請求の範囲】
【請求項１】
上方に開口しオゾン水を収容する容器、ポンプとオゾン発生器を有し、オゾン水を生成するオゾン水生成部、容器内のオゾン水に超音波振動を与える超音波振動子、装置を制御する制御部、および操作部を備えたオゾン水作成装置において、
前記容器に超音波振動子とオゾン導入口が設けられて、容器の側方にオゾン水生成部のポンプとオゾン発生器が上下に重ねて配置され、その上方に操作部が設けられて、操作部の近傍でオゾン水生成部に隣接して制御部が設けられていることを特徴とするオゾン水作成装置。
【請求項２】
操作部の側方にトレーが設けられている請求項１に記載のオゾン水作成装置。
【請求項３】
容器の蓋内面に活性炭が設けられている請求項１または２に記載のオゾン水作成装置。
【請求項４】
容器の底面に超音波振動子とオゾン導入口が設けられている請求項１から３のいずれかに記載のオゾン水作成装置。
【請求項５】
容器にオゾン水の取り出し口が設けられている請求項１から４のいずれかに記載のオゾン水作成装置。
【発明の詳細な説明】
【技術分野】
【０００１】
本発明は、例えば入れ歯やコンタクトレンズなどの被洗浄物の洗浄用などに用いられるオゾン水を作成する装置に関し、特にその小型化およびメインテナンス性の向上に関する。
【背景技術】
【０００２】
従来から、オゾン水消毒（殺菌）は専用のオゾン水製造装置により、下水処理などの工業的な用途の消毒には広く使用されているが、家庭的な用途や医療的な用途では小型で簡便なものは非常に少なく、それ程普及していないのが現状である。オゾン水による消毒においては、その酸化力（殺菌力）が強力であるとともに、最終的にオゾン水が水と酸素に分解されるため、環境に負荷をかける残留物がないという利点があり、近年の環境問題の面からも、オゾン水による消毒方法や洗浄方法が家庭用や医療用にも普及することが望ましい。
【０００３】
家庭用では、主として入れ歯やコンタクトレンズを洗浄するのに用いられるほかに、新型肺炎などの対策として消毒を十分に行うために、手洗いやうがいに用いる場合もある。医療用では、医療器具の殺菌などに用いられるほかに、手洗いにおいて消毒液や石鹸による消毒では爪の隙間などに入り込んだ汚れが容易に落ちないため、院内感染を引き起こす可能性もあり、この対策として手洗いに用いる場合もある。このような現状のなか、オゾン利用を工業的な用途から、より家庭的、医療的な用途へ展開しようとする提案が近年多くなされている。
【０００４】
例えば、医療器具の殺菌などに用いられるオゾン水殺菌洗浄装置で、オゾン濃度を高く保つための循環機構が取り付けられ、さらに超音波発振を併用することで洗浄力を高めることが知られている（例えば、特許文献１）。また、入れ歯洗浄器で、洗浄力を高めるために超音波発振を併用することも知られている（例えば、特許文献２）。
【特許文献１】特開平７−８８１６３号公報
【特許文献２】特開平１１−２４４３１０号公報
【発明の開示】
【発明が解決しようとする課題】
【０００５】
しかし、従来の装置は小型化が十分でなく、取り扱い性も良好といえない。さらに、特許文献１では超音波振動子の下部に発振制御手段が設けられ、特許文献２では容器の下部にオゾン発生器のポンプが設けられていることから、ともにメインテナンス性に劣るという問題があった。
【０００６】
一方、通常のオゾン水やオゾンを製造する装置は、オゾンを大気中に高濃度に排出することを防止するために分解機構を有している。この分解機構として活性炭フィルタによる分解・吸着、オゾンを加熱して酸素に分解する機構、二酸化マンガンを触媒として酸素に分解する機構などが使用されているが、従来の分解機構は大きなサイズのものが多く、これを設けると装置全体が大型化することから、特に家庭用に普及する妨げとなっていた。なお、特許文献１は、オゾンの分解処理を超音波振動子による超音波振動で行っているが、超音波振動だけでは分解処理が十分であるとはいえないものである。また、現在の市販品における例えば活性炭タイプの分解機構などは定期的なメインテナンスの際に取り替えるなどしており、その分解機構は機械内部に取り付けられているために、家庭内で容易に交換することができない。
【０００７】
本発明は、上記課題を解決して、小型化が可能で、メインテナンス性を向上できるオゾン水作成装置を提供することを目的とするものである。
【課題を解決するための手段】
【０００８】
上記目的を達成するために、本発明にかかるオゾン水作成装置は、上方に開口しオゾン水を収容する容器、ポンプとオゾン発生器を有し、オゾン水を生成するオゾン水生成部、容器内のオゾン水に超音波振動を与える超音波振動子、装置を制御する制御部、および操作部を備えたオゾン水作成装置において、前記容器に超音波振動子とオゾン導入口が設けられて、容器の側方にオゾン水生成部のポンプとオゾン発生器が上下に重ねて置かれ、その上方に操作部が設けられて、操作部の近傍でオゾン水生成部に隣接して制御部が設けられていることを特徴とする。
【０００９】
この構成によれば、容器に超音波振動子とオゾン導入口が設けられて、容器の側方にオゾン水生成部のポンプとオゾン発生器が上下に重ねて置かれ、その上方に操作部が設けられて、操作部の近傍でオゾン水生成部に隣接して制御部が設けられているので、従来のように、容器の下部にメインテナンスを要する超音波振動子の制御部やオゾン発生器のポンプが配置されていないことから、小型化およびメインテナンス性の向上を図ることができる。
【００１０】
好ましくは、操作部の側方にトレーが設けられている。したがって、小型化を図りながら、装置内に被洗浄物などを置くことができるトレーを有するので、利便性を向上することができる。
【００１１】
好ましくは、容器の蓋内面に活性炭が設けられている。したがって、活性炭を設けるスペースを可及的に小さくしてより小型化を図ることができるとともに、容易に活性炭を交換できるので、メインテナンス性を向上することができる。
【００１２】
好ましくは、容器の底面に超音波振動子とオゾン導入口が設けられている。したがって、容器への配管を容器下部に集中させることができるので、より小型化を図ることができる。
【００１３】
好ましくは、容器にオゾン水の取り出し口が設けられている。したがって、洗浄用だけでなく、手洗い、うがいおよび消毒用にも使用することができる。また、この取り出し口は洗浄液の排水口としても使用できる。
【発明の効果】
【００１４】
本装置によれば、各部の配置により小型化およびメインテナンス性を向上でき、オゾン水消毒を家庭用や医療用でも使用できるようにした。
【発明を実施するための最良の形態】
【００１５】
以下、本発明の実施形態を図面に基づいて説明するが、本発明はこれらに何ら限定されるものではない。
図１は、本発明の一実施形態に係るオゾン水作成装置の斜視図、図２はその側面図を示す。図３は本装置を制御する制御部を示す。本装置は、家庭用や医療用に使用されることを目的としたものであって、例えば入れ歯やコンタクトレンズなどの被洗浄物の洗浄に用いられるオゾン水を作成するものである。
【００１６】
図１に示すように、本装置は上ケース１ａと下ケース１ｂからなる本体（筐体）１内に、上方に開口しオゾン水を収容する容器２、ポンプ２１とオゾン発生器２２を有し、オゾン水を生成するオゾン水生成部Ｇ、容器２内のオゾン水に超音波振動を与える超音波振動子１０、制御部Ｃ、および装置を操作する操作ボタン１３からなる操作部Ｓの各部が収納されてなる。本装置は、家庭用のＡＣ電源（１００Ｖ）１９で駆動する。
【００１７】
図３に示すように、制御部Ｃは装置全体を制御するもので、オゾン水生成部Ｇを駆動するオゾン駆動回路１６、超音波振動子１０を駆動する超音波振動子駆動回路１８および操作ボタン１３の操作による切り換えを行うスイッチ回路１５を有する。図１に示すように、オゾン駆動回路１６および超音波振動子駆動回路１８は、下ケース１ｂに支持された固定フレーム１７に固定されている。
【００１８】
図２に示すように、本装置は、容器２に超音波振動子１０とオゾン導入口１１が設けられており、容器２の側方にオゾン水生成部Ｇのポンプ２１とオゾン発生器２２が上下に重ねて配置されるとともに、その上方に操作部Ｓが設けられて、容器２の側方であって、操作部Ｓの近傍でオゾン水生成部Ｇに隣接して制御部Ｃ（オゾン駆動回路１６、超音波振動子駆動回路１８）が設けられている。また、操作部Ｓの側方にトレーＴが設けられている。
【００１９】
これにより、本装置は、従来のように、容器の下部に超音波振動子の制御部やオゾン発生器のポンプが配置されていないことから、特に高さを低く抑制して小型化を図ることができる。これとともに、容器２の側方にポンプ２１とオゾン発生器２２を配置し、操作部Ｓの近傍でポンプ２１およびオゾン発生器２２に隣接してオゾン駆動回路１６および超音波振動子駆動回路１８を配置しているから、これらメインテナンスを要する各部２１、２２、１６、１８へのアクセスが容易となり、メインテナンス性の向上を図ることができる。この実施形態ではオゾン駆動回路１６および超音波振動子駆動回路１８をポンプ２１およびオゾン発生器２２に隣接してそれぞれ別々に配置しているが、一体としてポンプ２１および／またはオゾン発生器２２に隣接して配置するようにしてもよい。この場合、より小型化およびメインテナンス性の向上を図ることができる。また、装置内に、入れ歯や紛失しやすいコンタクトレンズのような被洗浄物Ｍなどを置くことができるトレーＴを有するので、さらに利便性も向上できる。
【００２０】
以下、本装置の各部について詳細に説明する。
（容器２）
図２の容器２は上方に開口した槽である。容器２のオゾン水の容量は家庭用にも普及できるようにできるだけ小型にすることが好ましく、このような観点からは１００〜１０００ｃｍ３程度の容量が好ましく、より好ましくは２００〜６００ｃｍ３である。槽の形状はサイズを小さくできて、入れ歯などの洗浄目的の利便性から例えば円筒形が好ましい。このような装置によってできるオゾン水の量は容器２の大きさからコップ数杯以下程度であるが、家庭等で使用するには充分である。また、本発明のオゾン水利用を広く普及させる主旨から装置全体の大きさも、本発明を満たす範囲内でできるだけ小さいものが好ましく、具体的には６０００ｃｍ３以下が好ましい。
【００２１】
容器２の底部のほぼ中央部において、その外面に超音波振動子１０と、容器２を貫通するオゾン導入口１１とが配置されている。オゾン水生成部Ｇのオゾン発生器２２とオゾン導入口１１はパイプ２０により配管されている。容器２への配管が容器下部に集中させることができるので、より小型化を図ることができる。
【００２２】
オゾン導入口１１にはバブリング用に散気管７が設けられている。オゾンが容器２内へ吹き込まれる部分に多孔を有するプラスチックや無機物などのパーツを取り付けて気泡を細かくすることにより、オゾンを容器２中の水に効率よく溶解させることができる。散気管７の周囲にごみの逆流防止用の突出パイプ１４が設けられ、容器２の底部周辺部には使用済みのオゾン水を排出する排水パイプ９が設けられている。
【００２３】
容器２には上部を覆う蓋３が設けられている。本体１ａ内に容器２が収納された状態で、容器２の上縁をパッキン（シール部材）２７で上下に挟んだうえで、本体１ａに接着剤などで固定する環状のリム５が設けられ、その下部にＯリング２５が設けられている。これにより、蓋３を容器２の上縁および本体１ａのリム５の上に載せるだけで、容器２の上部を覆うとともに、本体１ａに取り付けられ、リム５とＯリング２５によりオゾンの外部への漏れを防止することができる。また、本体１ａに例えばマグネット式のリードスイッチ２８が設けられており、蓋３が容器２から外されると、自動的にリードスイッチ２８のスイッチが入って、スイッチ回路１５を介してオゾン駆動回路１６によりオゾン水生成部Ｇをオフにする（図３）。なお、蓋３の取付方法として、ボタンによるワンタッチ開閉式やスクリューなどによるねじ込み式などでもよいが、蓋３と本体１ａの接続部を、オゾンが漏れず腐蝕されないようにフッ素、シリコンなどからなるＯリングなどでシールする必要がある。
【００２４】
本装置から大気中へオゾンが排出されないように、容器２内のオゾン水から発生するオゾンを分解および／または吸着するために、蓋３の裏面と仕切板２４の間(蓋内面）に取り外し交換可能なカートリッジ式の活性炭４が設けられる。これにより、活性炭４を設けるスペースを可及的に小さくしてより小型化を図ることができるとともに、容易に活性炭４を交換できるので、メインテナンス性を向上することができる。この活性炭４は使い捨てまたはリサイクルできる。
【００２５】
また、活性炭４の下面に、容器２内の水蒸気、微細な霧状の水滴が活性炭４を湿らせて効果を損なうことがないように、例えばミリポア製フィルタ２３が設けられている。上面にもミリポア製フィルタ２３が設けられている。蓋３とフィルタ２３はそれぞれ接着剤などで接着される。なお、フィルタ２３に代えて、テフロンなどのフッ素系の素材やその他の撥水性能を有する素材などからなるメッシュや不織布を取り付けてもよい。この場合、内部が加圧になることは望ましくないため、通気性は確保される必要がある。
【００２６】
なお、装置の小型化を損なわない範囲で、活性炭４に代えて、オゾンを分解および／または吸着する他のカートリッジ式の分解機構を採用してもよく、また、活性炭４などの分解機構を蓋内面に設ける代わりに、装置の外部に取り付けるようにしてもよい。例えば、容器２からオゾンに腐蝕されないようにテフロンや塩ビ系素材のチューブなどからなる排気ラインを経由して、装置外部に分解機構を取り付けるようにしたり、容器２に直接取り付けるようにしてもよい。この場合、分解機構の取り付け部分はアタッチメント式やスクリュー式になっていることが好ましく、オゾンに腐蝕されにくい素材からなるパッキンやＯリングなどを取り付けることがより好ましい。
【００２７】
この例では、蓋３はプラスチック製で、容器２の底面は、該底面外面に超音波振動子１０を配置していることから金属製である。また、装置のオゾンや超音波による洗浄動作が外部から見えるように、周面および／または蓋３の全部または一部を透明プラスチック製にしてもよい。
【００２８】
容器２内には、洗浄対象に応じて被洗浄物Ｍを収納するかご３０のような専用のアタッチメントが設けられる。例えば、被洗浄物Ｍが入れ歯やメガネの場合、専用アタッチメントは、入れ歯やレンズが割れないように固定できる、オゾンでは腐蝕されないステンレス鋼のような金属製のメッシュのかご３０と、金属、ゴムや樹脂からなる台座３１のような固定器具とを備えている。使用する超音波の周波数を考慮して、かご３０の網目の粗さを定めることは好適である。台座３１の高さも超音波の周波数に応じた定在波が適切に被洗浄物Ｍに当るように定めることは好適である。
【００２９】
また、例えば被洗浄物Ｍがコンタクトレンズの場合、レンズが夾雑物によって傷がつくことをなくし、また小さなレンズを水中で見失うことがない程度でオゾンの泡やオゾン水が出入りできる隙間を有する、金属製やプラスチック製のメッシュのかごを使用する。
【００３０】
（オゾン水発生部Ｇ）
オゾン水発生部Ｇは圧縮空気を送り出すポンプ２１とオゾン発生器（オゾナイザ）２２を有し、容器２の側方に、例えばポンプ２１の下にオゾン発生器２２のように上下に重ねて配置されている。両者はパイプ２６により上下に配管接続されている。
【００３１】
オゾン発生器２２は、ポンプ２１から空気を取り込んで、空気放電によって空気中の酸素をオゾンへ変換するものであるが、これに限定されるものではなく、公知のオゾン発生装置のいずれを採用してもよい。このようなオゾン発生装置において、長時間安定したオゾン発生が行われることから、例えば、特許第３２６１０５４号に記載されているような回転式オゾン発生装置などが好適に使用される。本実施形態では、上述のとおり容器２中へオゾンを泡状に放出させて散気させてオゾン水を得る方法をとっているが、オゾン発生装置内に水を引き込んで混合する方法や、循環経路を有する場合は循環経路中でオゾンと循環する水を混合する方法などを挙げることができる。
【００３２】
オゾンを発生するために用いる気体としては、一般的には空気でよいが、酸素であれば、オゾン発生の効率が上がる、および窒素酸化物を発生しないなどの利点がある。空気を使用している場合は窒素酸化物がごく少量ではあるが被洗浄物に付着していることがあるため、入れ歯やコンタクトレンズなどの被洗浄物は、取り出した後に水洗いすることが望ましい。また、酸素を使用するには酸素カートリッジなどが必要である。
【００３３】
（超音波振動子１０）
超音波振動子１０は、容器２の底面の外面に取り付けられている。本発明において、汚れを落とす洗浄力を高めるために超音波洗浄を併用している。超音波の発振方法およびオゾンとの併用の手段は公知の技術のいずれを使用してもよく、装置内に超音波発振機を取り付けて水の入った洗浄槽内へ超音波発振を行うこともできる。
【００３４】
超音波発振とオゾン水作成は同時に行ってもよいし、別々に行ってもよい。一般的にはオゾンが溶解した水に超音波発振処理を行うと、溶解していたオゾンが気相中へ出てしまうので、被洗浄物をオゾン供給を終了したオゾン水に浸漬しておく場合は超音波発振処理後にも、オゾンを供給し続けてオゾン水を作成することが好ましい。例えば、超音波洗浄を３分行って、被洗浄物の汚れを落とし、その後オゾン殺菌を４分行って除菌（消毒）する。また、逆にオゾン供給を止めたオゾン水に超音波発振することでオゾン水中のオゾンを気相中へ追い出す操作として利用することもできる。上記を踏まえた洗浄と殺菌の両方の目的を満足するリレー式のコントロール機構を付与することは好適である。超音波の発振周波数は１０〜１２０ｋHzの範囲を挙げることができる。周波数が１０ｋHz未満だと洗浄力が弱い傾向にあり、１２０ｋHzを超えると、被洗浄物が破損するなどの問題が生じやすい。好ましい発振周波数の範囲は１５〜８０ｋHｚであり、より好ましくは２０〜４５ｋHzである。また、超音波発振を水に与えていると水温が上昇するが、オゾンの水への溶解量は低温の水の方が高いために、水の温度上昇は好ましくなく、従って超音波発振の時間は５秒から１０分以内であることが好ましく、１０秒から５分以内がより好ましい。
【００３５】
一般に知られているように、オゾン水を作成するための水の温度は低温の方がオゾンの溶解量が高く濃度を上げることができる。このため、装置自体を低温下で使用するか、あるいは使用する水をペットボトル等に入れて冷蔵庫などの中であらかじめ冷却しておくなどして、より低温の水を使用することで濃度の高いオゾン水を調整することは好適である。また、使用する水は水道水、天然水、蒸留水など特に限定されるものではないが、オゾン水中のオゾンは水中の有機物などと速やかに反応して酸化力を失うし、鉄サビなどが混入することも好ましくないため、蒸留水など専用の調整された水を使用することは好適である。
【００３６】
本装置において、洗浄力を高めるために洗剤として界面活性剤を加えることもできる。界面活性剤は従来から洗浄効果が認められている公知のものであればいずれも使用でき、特に限定されるものではないが、オゾンによっても洗浄力を損なわれない界面活性剤を採用することは好適である。
【００３７】
また、本装置において、例えば、入れ歯洗浄時に洗浄槽にフッ素液などを添加することで入れ歯をフッ素コーティングしたり、コンタクトレンズ洗浄時に洗浄槽に抗菌剤などを添加して抗菌処理したりすることもできる。
【００３８】
また、本装置には、図１の容器２にオゾン水の取り出し口１２が設けられており、これに接続された排水パイプ４１と蛇口４２が設けられている。入れ歯などの洗浄用だけでなく、作成したオゾン水を消毒用に手洗いやうがいに用いることができる。なお、本装置は、容器２にオゾン水の取り出し口１２を設けなくてもよい。
【００３９】
また、本装置は、本体１ｂの底部の台座として防音材３４（図２）を取り付けることによって防音処理を施している。オゾン水作成装置を家庭用に広く普及させるには、防音処理は重要であるが、重量の問題から金属製の重い筐体を全面的に使用することは好ましくない。しかしプラスチック製の筐体を採用する場合には音の問題が生じるため、効果的な防音処理材を使用することが重要となる。防音処理を施した結果、通常の６畳間においてオゾン水発生装置を稼動させた状態で６０ｄＢ以下、好ましくは４０ｄＢ以下にすることが好ましい。また同時にオゾン水作成装置の重量は１０ｋｇ以下、好ましくは５ｋｇ以下とすることが好ましい。
【００４０】
上述の防音材とは防音のために使用されるすべての素材を意味する。具体的には一般に分類されている素材としては、性能が重なることが多いが、遮音材、吸音材、制振材、防振材などを挙げることができ、さらにこれを積層したり、混合したり、複合したものや各種の必要な部分に使い分けて併用するものを挙げることができる。遮音材とは音の通り抜けを遮る材料であり、遮音シートや石膏ボード、金属粉を含んだ塩化ビニル化合物などが使用される。吸音材とは音を反射させない材料でありグラスウール、ロックウール、軟質ウレタンフォーム、不織布（金属製、非金属製）、各種スポンジ（発泡体）材料などが使用される。制振材とは振動する素材の振動を短時間にとどめ、振動面から発生する音を防ぐ材料であり、ゴムシート、ウレタンフォーム、コルク、スポンジ形状物、各種制振シート、その他ゴム系、プラスチック系、アスファルト系の制振材料としてゴム系にはニトリルゴム、天然ゴム、ブチルゴム、シリコンゴムなどがあり、プラスチック系ではＥＶＡ系、ポリエステル、ポリオレフィン、その他の塩化ビニル系、ウレタン系、スチレン系、オレフィン系の各種エラストマー化合物、アスファルト系ではエポキシ系アスファルトなどがある。制振塗料などが使用される。制振塗料には瀝青系、エポキシ系、フタル酸系、エマルジョン系、塩化ビニル系、変性アスファルト系やこれらを併用するものなどがある。防振材とは振動の伝達を少なくして周囲に伝わらなくする材料であり、ゴムマット、フエルト、ウレタンフォーム、ポリノルボルネンポリマーゴムシート、製各種防振材などが使用される。上記の防音材は全て使用することができるが、重量増加は好ましくないため、金属板などの重い防音素材は多く使用されないことが好ましい。
【００４１】
本発明の家庭用等に普及させるという主旨からは、サイズが小さく、重量も小さいことが要求されるため、上述の防音材としては周波数１１Ｈｚでの損失係数のピークが−２５℃〜４０℃の範囲内にあるスチレン系エラストマー化合物を使用することが好ましく、損失係数のピーク値はより好ましくは−２０℃から３０℃である。このようなスチレン系エラストマー化合物は軽量でありながら、極めて制振性能に優れた素材であるため、とりわけ軽量化を重視した本発明のオゾン水作成装置に好適に採用される。このようなスチレン系エラストマーとしては、(1)スチレン等のビニル芳香族化合物からなる重合体ブロックＡを１個以上、および１，２−結合と３，４−結合の含有量が４０％以上であるポリイソプレンブロックＢを１個以上有し、ビニル芳香族化合物の含有量が１０〜４０重量％であるブロック共重合体（a−１）およびその水素添加物（ｂ−１）、(2)スチレン等のビニル芳香族化合物からなる重合体ブロックＡを１個以上、およびイソプレン単位とブタジエン単位を５／９５〜９５／５（重量％）の割合で含有し、１，２−結合と３，４−結合の含有量が４０％以上である重合体ブロックＣを１個以上有し、ビニル芳香族化合物の含有量が１０〜４０重量％であるブロック共重合体（ａ−２）およびその水素添加物（ｂ−２）、(3)スチレン等のビニル芳香族化合物からなる重合体ブロックＡを１個以上、および１，２−結合の含有量が６０％以上であるポリブタジエンブロックＤを１個以上有し、ビニル芳香族化合物の含有量が１０〜４０重量％であるブロック共重合体（ａ−３）、およびその水素添加物（ｂ−３）を挙げることができる。具体的なこのようなスチレン系エラストマー化合物としては市販品として、クラレ製ハイブラーシリーズなどを挙げることができる。上記のスチレン系エラストマーには本発明の効果を損なわない各種のポリオレフィン、エチレン−酢酸ビニル共重合体や各種オイル、可塑剤、顔料、発泡剤、酸化防止剤など配合物や添加物が含まれていてもよい。
【００４２】
さらに上記のスチレン系エラストマー化合物は発泡形態であることが好ましい。これにより上述の優れた制振性能に加えて、吸音性能が向上して、より優れた防音性能を発揮することができる。発泡方法は発泡材や架橋剤等を配合して架橋させて発泡体を得る方法などを挙げることができ、発泡材としてはアゾジカルボンアミド系の発泡剤などが使用できる。
【００４３】
本装置において防音材を取り付けたり、使用する場所としては、底部の台座３４だけでなく、本体（筐体）１の内面、表面、音を発生する機器の周辺部分、パッキン、容器２の外部まわりなどがあり、必要に応じて適宜必要な箇所に使用すればよいが、超音波による洗浄目的のための振動を妨げないように配置する必要がある。
【００４４】
なお、本装置にオゾン水を循環させる機構を付加するようにしてもよい。オゾン水が作成される容器と、オゾンを送り込むオゾン発生器と、容器とオゾン発生器間に設けたオゾン水の循環機構とを有する構成により、オゾン発生器からのオゾンが気液混合され、再びオゾン水を容器へ戻すことによって、槽内にはオゾン水が供給され続けて、槽中のオゾン濃度を溶解飽和状態で維持させることができる。この場合、循環機構の経路中に、夾雑物を捕集するフィルタ機構を取り付けてもよく、さらに磁力を利用した捕集機構を取り付けてもよい。
【実施例】
【００４５】
本発明に係るオゾン水作成装置を以下の実施例によって説明するが、本発明は以下の実施例によって限定されるものではない。
【００４６】
実施例１
図２に示すようなオゾン水作成装置において、容器２中に水道水を入れ、オゾンを溶解させてオゾン水とし、容器２のかご３０内に被洗浄物Ｍとして使用済みの入れ歯を入れて、オゾンバブリングによって殺菌、消毒ができるオゾン水が生成できることを確認した。また、超音波洗浄により入れ歯の汚れが除去できることについても確認した。洗浄を終了したオゾン水は排水パイプ９から非常に簡便に廃棄することができた。また、容器２内に発生したオゾンは蓋内面に取り付けた活性炭４により分解され、オゾン臭が発生しないことを確認した。さらに、防音材としてクラレ製ハイブラー５１２７を底部台座３４および図示しない容器２と本体１の接合部分に採用することによって装置から発生する音が著しく小さくなることを確認できた。
【００４７】
また、上記オゾン水作成装置において、容器２中に水道水を入れ、オゾンを溶解させてオゾン水とし、オゾン水取り出し口１２からオゾン水を蛇口４２を回して容器２外に取り出すことで、非常に簡便に０．１５ｐｐｍのオゾン水を得ることができた。この取り出したオゾン水はコップ等に受け、消毒用としてうがい、手洗いに使用することができた。
【図面の簡単な説明】
【００４８】
【図１】本発明の一実施形態に係るオゾン水作成装置を示す分解斜視図である
【図２】図１の側面図である
【図３】図１の制御部を示すブロック図である
【符号の説明】
【００４９】
２：容器
３：蓋
４：活性炭
１０：超音波振動子
１１：オゾン導入口
１２：オゾン水取り出し口
２１：ポンプ
２２：オゾン発生器
Ｃ：制御部
Ｇ：オゾン水生成部
Ｓ：操作部
Ｔ：トレー
【図１】
2005103477.tif 000003
【図２】
2005103477.tif 000004
【図３】
2005103477.tif 000005